(57)【特許請求の範囲】
【請求項１】
紙幣識別機を通過した紙幣を紙幣搬送装置の受入口から主搬送路へ案内する案内路に対向配置された駆動ローラとテンションローラとを有する紙幣搬送装置において、
テンションローラの近傍にねじりばねの巻線部を軸支してなるねじりばねの一側アームがテンションローラのローラ軸に係止されることによって駆動ローラ側に押圧される一方、ねじりばねの他側アームがスライド部材に形成された傾斜面に係合され、
該スライド部材の固定位置を変えることによって、スライド部材の傾斜面に対するねじりばねの他側アームの係合位置を変えることにより、ねじりばねの付勢力を調整し、駆動ローラに対するテンションローラの押圧力を調整可能としたことを特徴とする紙幣搬送装置。
【請求項２】
紙幣識別機を通過した紙幣を紙幣搬送装置の受入口から主搬送路へ案内する案内路に対向配置された駆動ローラとテンションローラとを有する紙幣搬送装置において、
テンションローラの近傍にねじりばねの巻線部を軸支してなるねじりばねの一側アームがテンションローラのローラ軸に係止されることによって駆動ローラ側に押圧される一方、
ねじりばねの他側アームが、端部に不等辺三角形の三辺を有してなる調節部材のいずれかの辺又は角部に係止され、
該調節部材を回動することによって、ねじりばねの他側アームが不等辺三角形の所定の辺又は角部に係止されるように調節することにより、ねじりばねの付勢力を調整し、駆動ローラに対するテンションローラの押圧力を調整可能としたことを特徴とする紙幣搬送装置。
【請求項３】
紙幣識別機を通過した紙幣を紙幣搬送装置の受入口から主搬送路へ案内する案内路に対向配置された駆動ローラとテンションローラとを有する紙幣搬送装置において、
前記案内路に駆動ローラとテンションローラとの組み合わせが２組以上配設され、
夫々のテンションローラの近傍にねじりばねの巻線部を軸支したねじりばねの一側アームがテンションローラのローラ軸に係止されることによって駆動ローラ側に押圧される一方、
いずれかのテンションローラに設けられたねじりばねの他側アームがスライド部材に形成された傾斜面に係合され、
該スライド部材の固定位置を変えることによって、スライド部材の傾斜面に対するねじりばねの他側アームの係合位置を変えることにより、ねじりばねの付勢力を調整するか、
又はいずれかのテンションローラに設けられたねじりばねの他側アームが、端部に不等辺三角形の三辺を有してなる調節部材の所定の辺又は角部に係止され、
該調節部材を回動することによって、ねじりばねの他側アームが不等辺三角形の所定の辺又は角部に係止されるように調節することにより、ねじりばねの付勢力を調整し、
駆動ローラに対するテンションローラの押圧力を調整可能としたことを特徴とする紙幣搬送装置。
【発明の詳細な説明】
【技術分野】
【０００１】
本発明は、パチンコやパチスロ等の遊技店に配設された遊技台間の遊技媒体貸出機に連結された紙幣搬送装置に係り、各遊技媒体貸出機内の紙幣識別機を通過した紙幣を紙幣搬送装置の受入口から主搬送路へ案内する案内路に対向配置された駆動ローラとテンションローラとの挟持力を微調整可能とした紙幣搬送装置に関する。
【背景技術】
【０００２】
従来から、パチンコやパチスロ等の遊技店に配設された遊技台間には遊技媒体貸出機が設けられ、各遊技媒体貸出機にはユニット構造の紙幣搬送装置が連結されている。また、この紙幣搬送装置を連結することにより、各紙幣搬送装置内の主搬送路が連結され、この主搬送路が遊技島端に設けられた金庫へと導かれる構成とされている。
【０００３】
このような構成において、各遊技媒体貸出機の投入口から投入された紙幣は、各遊技媒体貸出機に内蔵された紙幣識別機によって真偽判定が行なわれ、真と判定された紙幣はそのまま主搬送路へ移送されるが、偽と判定された紙幣は再び遊技媒体貸出機の投入口から返却されることとなる。
【０００４】
そのため、紙幣識別機において紙幣が偽と判定されたとき、紙幣識別機に設けられた搬送ローラを逆回転して紙幣を逆送方向へ引き戻す必要がある。これを実現するには、紙幣識別機に設けられた搬送ローラの挟持力を紙幣搬送路側のローラの挟持力よりも強くする必要があり、このため、紙幣搬送路側のローラの挟持力を微調整する必要が生じる。
【０００５】
従来の紙幣搬送装置について特許文献１を参照すると、この文献に記載された装置は、紙幣搬送装置をユニット構造にした紙幣搬送ユニットに関するものであり、その１ユニットにおいては、従動搬送路と駆動搬送路との間に紙幣合流案内機構部が設けられている。また、各ユニットにおける紙幣合流案内機構部には両側に紙幣供給口が設けられ、両側の紙幣供給口の合流部に駆動プーリとバネ付きローラが対接され、バネ付きローラは駆動プーリを押圧することによって従動回転する構造とされている。
【０００６】
ところが、このような構造において、バネ付きローラは、そのローラ軸がバネによって駆動ローラの方向へ一定圧力で押圧されているだけであり、その押圧力を調整する構造とはされていない。
【０００７】
また、特許文献２には、押圧力を調整可能にしたローラユニットについて記載されているが、この文献に記載された構成は、ローラの保持軸を押圧するトーションスプリングの巻線部の巻上げ度を、この巻線部から突き出した係合アームとホルダ側に設けた第１のストッパまたは第２のストッパとの係合によって調整することにより、ローラの押圧力を調整可能とする構成が記載されている。
【０００８】
ところが、この特許文献２の構成においては、トーションスプリングの係合アームが第１又は第２のストッパのいずれと係合するかによって調整可能であるだけであり、ローラの押圧力を微調整することは容易ではない。
【特許文献１】特開平４−２５６６３９号公報
【特許文献２】特開２００１−１８７６５４号公報
【発明の開示】
【発明が解決しようとする課題】
【０００９】
本発明は、上記の事情に鑑みてなされたものであり、パチンコやパチスロ等の遊技店に配設された遊技台間の遊技媒体貸出機に連結された紙幣搬送装置に係り、各遊技媒体貸出機内の紙幣識別機を通過した紙幣を紙幣搬送装置の受入口から主搬送路へ案内する案内路に対向配置された駆動ローラとテンションローラとの挟持力を微調整可能とした紙幣搬送装置を提供することを目的とする。
【課題を解決するための手段】
【００１０】
上記の目的を達成するために、本発明の請求項１の紙幣搬送装置は、紙幣識別機を通過した紙幣を紙幣搬送装置の受入口から主搬送路へ案内する案内路に対向配置された駆動ローラとテンションローラとを有する紙幣搬送装置において、テンションローラの近傍にねじりばねの巻線部を軸支してなるねじりばねの一側アームがテンションローラのローラ軸に係止されることによって駆動ローラ側に押圧される一方、ねじりばねの他側アームがスライド部材に形成された傾斜面に係合され、該スライド部材の固定位置を変えることによって、スライド部材の傾斜面に対するねじりばねの他側アームの係合位置を変えることにより、ねじりばねの付勢力を調整し、駆動ローラに対するテンションローラの押圧力を調整可能としたことを特徴とする。
【００１１】
また、本発明の請求項２の紙幣搬送装置は、紙幣識別機を通過した紙幣を紙幣搬送装置の受入口から主搬送路へ案内する案内路に対向配置された駆動ローラとテンションローラとを有する紙幣搬送装置において、テンションローラの近傍にねじりばねの巻線部を軸支してなるねじりばねの一側アームがテンションローラのローラ軸に係止されることによって駆動ローラ側に押圧される一方、ねじりばねの他側アームが、端部に不等辺三角形の三辺を有してなる調節部材のいずれかの辺又は角部に係止され、該調節部材を回動することによって、ねじりばねの他側アームが不等辺三角形の所定の辺又は角部に係止されるように調節することにより、ねじりばねの付勢力を調整し、駆動ローラに対するテンションローラの押圧力を調整可能としたことを特徴とする。
【００１２】
さらに、本発明の請求項３の紙幣搬送装置は、紙幣識別機を通過した紙幣を紙幣搬送装置の受入口から主搬送路へ案内する案内路に対向配置された駆動ローラとテンションローラとを有する紙幣搬送装置において、前記案内路に駆動ローラとテンションローラとの組み合わせが２組以上配設され、夫々のテンションローラの近傍にねじりばねの巻線部を軸支したねじりばねの一側アームがテンションローラのローラ軸に係止されることによって駆動ローラ側に押圧される一方、いずれかのテンションローラに設けられたねじりばねの他側アームがスライド部材に形成された傾斜面に係合され、該スライド部材の固定位置を変えることによって、スライド部材の傾斜面に対するねじりばねの他側アームの係合位置を変えることにより、ねじりばねの付勢力を調整するか、又はいずれかのテンションローラに設けられたねじりばねの他側アームが、端部に不等辺三角形の三辺を有してなる調節部材の所定の辺又は角部に係止され、該調節部材を回動することによって、ねじりばねの他側アームが不等辺三角形の所定の辺又は角部に係止されるように調節することにより、ねじりばねの付勢力を調整し、駆動ローラに対するテンションローラの押圧力を調整可能としたことを特徴とする。
【発明の効果】
【００１３】
本発明の紙幣搬送装置によれば、請求項１のスライド部材の移動によって、ねじりばねの他側アームがスライド部材の傾斜面に対する係合位置を変えることとなり、ねじりばねの付勢力が調整され、これによって駆動ローラに対するテンションローラの押圧力が微調整可能となる。
【００１４】
また、請求項２の調節部材の回動によって、ねじりばねの他側アームが不等辺三角形の所定の辺又は角部に係止されることによりねじりばねの付勢力が調整され、これによって駆動ローラに対するテンションローラの押圧力が微調整可能となる。
【００１５】
さらに、請求項３においては、上記のスライド部材の移動と上記の調節部材の回動によって、これらを併用した効果によってねじりばねの付勢力が微調整され、駆動ローラに対するテンションローラの押圧力が微調整可能となる。
【００１６】
従って、紙幣の真偽判定を行う際に紙幣識別機に投入された紙幣の先端側が駆動ローラとテンションローラとによる挟持位置を通過した状態となるが、紙幣識別機により紙幣が偽と判定された場合、紙幣は再び紙幣識別機の投入から返却する必要があり、本発明においては、スライド部材の固定位置の移動、調節部材の回動、又はその両方を組み合わせた調整によって、ねじりばねのバネ不勢力を変化させることにより、駆動ローラに対するテンションローラの押圧力を微調整することが可能となり、確実に、紙幣を紙幣識別機の投入から返却することが可能となる。
【発明を実施するための最良の形態】
【００１７】
以下、本発明の実施例について図面を参照しながら説明する。
【実施例１】
【００１８】
本実施例は、図１に示すように、紙幣識別機２を通過した紙幣Ｓを紙幣搬送装置１の受入口５ａから主搬送路４へ案内する案内路５ｂに対向配置された駆動ローラ６とテンションローラ７とを有する紙幣搬送装置１において、駆動ローラ６を押圧するテンションローラ７の押圧力を調整するために、ねじりばね８のバネ付勢力をスライド部材９の移動によって調節するようにしたものである。
【００１９】
図１に示す紙幣搬送装置１は一つのユニットに構成されたもので、この１ユニットの紙幣搬送装置１を連結することによって、紙幣搬送装置１の内部に沿って設けられた主搬送路４が連結され、この主搬送路４が遊技島端に設けられた不図示の金庫へと導かれる。また、紙幣搬送装置１には可動ガイド３が設けられ、可動ガイド３に設けられた受入口５ａには１ユニットごとに紙幣識別機２が接続され、紙幣識別機２を通過した紙幣Ｓは受入口５ａから案内路５ｂとサブ案内路５ｃを経て主搬送路４へ導かれる。
【００２０】
本実施例においては、図２に示すように、案内路５ｂに駆動ローラ６とテンションローラ７とが対接した状態で対向配置されている。駆動ローラ６はそのローラ軸６ａが不図示のモータに接続されることによって回転駆動され、紙幣Ｓをサブ案内路５ｃへ移送する。
【００２１】
テンションローラ７は、案内路５ｂの近傍に形成された長形の軸受用溝１０に沿ってスライド自在に挿着される一方、このテンションローラ７の近傍に設けられた支承軸１１にねじりばね８（「αバネ」と称することもある）の巻線部８ａが軸支され、このねじりばね８の一側アーム８ｂをテンションローラ７のローラ軸７ａの貫通孔７ｂ（図６参照）に挿通して係止された構成とされている。なお、ねじりばね８は、後述するようにテンションローラ７の両側に設けられている（図３又は図６参照）。
【００２２】
また、ねじりばね８の他側アーム８ｃは、図３に示すように、紙幣搬送装置１に設けられた可動ガイド３の側壁内側において、駆動ローラ６又はテンションローラ７の軸方向と同方向にスライド自在に設けられたスライド部材９の傾斜面９ａ、９ｂに係合されている。即ち、このスライド部材９は、図４に示すように、長形材の片側の上下部に同一勾配を有する傾斜片９ａ、９ｂが形成されると共に、両傾斜面９ａ、９ｂの間には、該スライド部材９をスライドさせる際に指先に係止させる突起９ｃが形成され、また夫々の傾斜面９ａ、９ｂの上下にはねじ穴９ｄ、９ｄが形成された構成とされている。
【００２３】
また、図４に示すように、紙幣搬送装置１の可動ガイド３における側壁内側には上下方向に長尺縁１２と上下の当接片１２ａ、１２ｂとが設けられ、スライド部材９を長尺縁部１２と当接片１２ａ、１２ｂとの間に挿着することによって、スライド部材９は長尺縁１２と上下の当接片１２ａ、１２ｂとの間で上下方向に移動自在とされ、このスライド部材９を移動して調整した後には、図４に示すように、長尺縁１２と上下の当接片１２ａ、１２ｂ間に形成された上下の長穴１４ａ、１４ｂにネジ（不図示）を挿入してスライド部材９の上下のネジ穴９ｄ、９ｄに締結することによって定位置に固定されることとなる。
【００２４】
なお、図５に紙幣搬送装置１の前面が図示してあり、上下の長穴１４ａ、１４ｂを通してスライド部材９のネジ穴９ｄ、９ｄが見える状態にあり、この上下のスライド部材９のネジ穴９ｄ、９ｄにネジを締結することによって、スライド部材９は所定位置で固定される。
【００２５】
また、図６は、理解のための便宜上構成部材のみを示すものであり、駆動ローラ６に対接するテンションローラ７の両側に突出したローラ軸７ａの貫通孔７ｂ、７ｂ（片側の貫通孔７ｂは図６に現われていない）の夫々にはねじりばね８の一側アーム８ｂが貫通されることによって係止され、夫々のねじりばね８は巻線部８ａを経て他側アーム８ｃ（各端部はＬ形８ｄに折曲されている）をスライド部材９の各傾斜面９ａ、９ｂに当接させた構成としている。
【００２６】
このような構成によって、スライド部材９を移動すると、各傾斜面９ａ、９ｂは各ねじりばね８の他側アーム８ｃとの係合位置を変え、各ねじりばね８の巻線部８ａのねじり度が変化することによってねじりばね８のバネ付勢力が変動することとなり（図７参照）、これによって駆動ローラ６に対するテンションローラ７の押圧力が調整可能となる。このようなテンションローラ７の押圧力調整は、各ねじりばね８の他側アーム８ｃが各傾斜面９ａ、９ｂのいずれの位置に係合するかによって調整されるものであり、ねじりばね８のバネ付勢力は連続的に変動して、駆動ローラ６に対するテンションローラ７の押圧力を微調整することが可能となる。
【００２７】
実施例１の構成によれば、図１において、紙幣Ｓの真偽判定を行う際に紙幣識別機２に投入された紙幣Ｓの先端側は駆動ローラ６とテンションローラ７とによる挟持位置を通過した状態となる。そのため、紙幣Ｓが真と判定された場合、その紙幣Ｓは駆動ローラ６とテンションローラ７の送り動作によってそのまま主搬送路４へ移動されるが、偽と判定された紙幣Ｓは再び紙幣識別機２の投入口（不図示）から返却する必要がある。
【００２８】
この場合、紙幣識別機２の搬送ローラ１４ａ、１４ｂの挟持力は、駆動ローラ６とテンションローラ７との挟持力よりも強い力が必要であり、このため上記のスライド部材９の固定位置を変えることによってねじりばね８の付勢力を調整し、駆動ローラ６に対するテンションローラ７の押圧力を微調整することによって、紙幣識別機２の搬送ローラ１４ａ、１４ｂの挟持力が駆動ローラ６とテンションローラ７との挟持力よりも強い力となって、紙幣Ｓを確実に逆送することが可能となる。
【実施例２】
【００２９】
本実施例は、図１３に示すように紙幣搬送装置１に設けられた可動ガイド３に受入口ガイド１８を接続した構成において、図８に示すように受入口ガイド１８のみに駆動ローラ６とテンションローラ７を設けたものである。従って、本実施例においても、図８に示すように、紙幣識別機２を通過した紙幣Ｓを受入口５ａから主搬送路４（図１３参照）へ案内する案内路５ｂに対向配置された駆動ローラ６とテンションローラ７とを有する紙幣搬送装置１（図１３参照）において、駆動ローラ６に対するテンションローラ７の押圧力を調整するために、ねじりばね８の付勢力を調節部材１３を回動することによって調節するようにしたものである。
【００３０】
図８において、駆動ローラ６とテンションローラ７とは、受入口ガイド１８の受入口５ａ近傍の案内路５ｂに互いに対接状態で対向配置され、実施例１と同様に、駆動ローラ６はそのローラ軸６ａが不図示のモータに接続されることによって回転駆動される。
【００３１】
図８において、テンションローラ７のローラ軸７ａが、案内路５ｂの近傍に形成された長形の軸受用溝１０に沿ってスライド自在に挿着される一方、このテンションローラ７の近傍に設けられた支承軸１１にねじりばね８（「αバネ」と称することもある）の巻線部８ａが軸支され、このねじりばね８の一側アーム８ｂがテンションローラ７のローラ軸７ａの貫通孔７ｂ（図１２（ａ）参照、貫通孔７ｂに関しては図６と同様）に挿通して係止されている。なお、ねじりばね８は、本実施例においても、図１０に示すように、テンションローラ７の両側に設けられている。
【００３２】
また、受入口ガイド１８内に設けられたテンションローラ側ガイド部材１９の内部構造を示す図１０に示すように、テンションローラ取付部材２０の端部側に設けられた上下の係止片１５、１５の係止溝１５ａ、１５ａ及び上下の挿着片２１、２１の挿着溝２１ａ、２１ａには調節部材１３が回動自在に挿通されている。
【００３３】
より詳細に述べると、この調節部材１３は、図９に示すように、断面円形の長尺軸１３ａの上下の端部が不等辺三角形１６、１６に形成された３辺を有してなり、上記の図１０に示す上下の係止片１５、１５の内側に設けられた上下の挿着片２１、２１の挿着溝２１ａ、２１ａに調節部材１３の長尺軸１３ａが着脱自在且つ回動自在に挿着されると共に、調節部材１３の上下の不等辺三角形１６、１６が上下の係止片１５、１５に係止された状態で回動自在に取り付けられている。
【００３４】
このような構成において、テンションローラ取付部材２０を示す図１２（ａ）〜(ｃ)において、調節部材１３の上下の不等辺三角形１６、１６の所定の辺又は角部にねじりばね８の他側アーム８ｃが係止され、調節部材１３を回動することによってねじりばね８の他側アーム８ｃが不等辺三角形１６の所定の辺又は角部に係止されることによってねじりばね８の巻線部８ａのねじり度が変化し、ねじりばね８のバネ付勢力が調整され、これによって駆動ローラ６に対するテンションローラ７の押圧力が調節されることとなる。
【００３５】
本実施例においては、図１２（ａ）〜(ｃ)に示すように、不等辺三角形１６が辺の長さが異なる三辺が形成されたことによって、調節部材１３の回動により、ねじりばね８のバネ付勢力が３態様に調節可能であるが、調節部材１３は容易に着脱自在であり、調節部材１３を他の長さを有する不等辺三角形１６のものに取り替えることによって、駆動ローラ６に対するテンションローラ７の押圧力を微調整することが可能となる。
【００３６】
この実施例においても、図８に示すように、紙幣Ｓの真偽判定を行う際に紙幣識別機２に投入された紙幣Ｓの先端側は駆動ローラ６とテンションローラ７とによる挟持位置を通過した状態となる。そのため、紙幣Ｓが真と判定された場合、その紙幣Ｓは駆動ローラ６とテンションローラ７の送り動作によってそのまま主搬送路４へ移動されるが、偽と判定された紙幣Ｓは再び紙幣識別機２の投入口（不図示）から返却する必要があり、本実施例の調節部材１３の回動によってねじりばね８の他側アーム８ｃが係合する不等辺三角形１６の辺または角部を変えることにより、ねじりばね８が当接する辺又は角部の高さが変化し、ねじりばね８の付勢力を変化させ、駆動ローラ６に対するテンションローラ７の押圧力を微調整することが可能となる。
【実施例３】
【００３７】
この実施例は、実施例１と実施例２の構成を併せ持つものであり、図１３に示すように、紙幣識別機２を通過した紙幣Ｓを紙幣搬送装置１の受入口５ａから主搬送路４へ案内する案内路５ｂに対向配置された駆動ローラ６とテンションローラ７とを有する紙幣搬送装置１において、案内路５ｂに駆動ローラ６とテンションローラ７との組み合わせが２組以上配設されたものである。本実施例においては、紙幣搬送装置１に設けられた可動ガイド３内に第１の駆動ローラ６Ａと第１のテンションローラ７Ａとを構成し、可動ガイド３に接続された受入口ガイド１８内に第２の駆動ローラ６Ｂと第２のテンションローラ７Ｂとを設けた構成としている。このように可動ガイド３内に設けられた第１の駆動ローラ６Ａ、第１のテンションローラ７Ａと、可動ガイド３に設けられた第２の駆動ローラ６Ｂ、第２のテンションローラ７Ｂとを組み合わせた構成は、紙幣識別機２と主搬送路４との距離がある場合に必要となる。
【００３８】
上記の構成において、可動ガイド３内の第１の駆動ローラ６Ａを押圧する第１のテンションローラ７Ａの押圧力を調整するために、ねじりばね８Ａの付勢力を実施例１と同様に構成したスライド部材９の移動によって調節するようにしている。
【００３９】
また、受入口ガイド１８内の第２の駆動ローラ６Ｂを押圧する第２のテンションローラ７Ｂの押圧力を調整するために、ねじりばね８Ｂの付勢力を実施例２と同様に構成した調節部材１３の回動によって調節するようにしている。
【００４０】
この実施例においては、紙幣Ｓの真偽判定を行う際に紙幣識別機２に投入された紙幣Ｓの先端側は案内路５ｂに沿って設けられた第１の駆動ローラ６Ａと第１のテンションローラ７Ａ及び第２の駆動ローラ６Ｂと第２のテンションローラ７Ｂとによる挟持位置を通過した状態となる。そのため、紙幣Ｓが真と判定された場合、その紙幣Ｓは第１及び第２の駆動ローラ６Ａ、６Ｂと第１及び第２のテンションローラ７Ａ、７Ｂとの送り動作によってそのまま主搬送路４へ移動されるが、偽と判定された紙幣Ｓは再び紙幣識別機２の投入口（不図示）から返却する必要がある。
【００４１】
本実施例においては、スライド部材９の固定位置の移動と調節部材１３の回動とを組み合わせた調整によって、両側のねじりばね８Ａ、８Ｂのバネ不勢力を微調整することができ、各駆動ローラ６Ａ、６Ｂに対する各テンションローラ７Ａ、７Ｂの押圧力を微調整することが可能となる。
【産業上の利用可能性】
【００４２】
本発明の紙幣搬送装置は、パチンコやパチスロ等の遊技店に配設された遊技台間の遊技媒体貸出機に連結された紙幣搬送装置において、遊技媒体貸出機内の紙幣識別機を通過した紙幣を紙幣搬送装置の受入口から主搬送路へ案内する案内路に対向配置された駆動ローラとテンションローラとの挟持力を微調整可能とした紙幣搬送装置として利用可能である。
【図面の簡単な説明】
【００４３】
【図１】本発明の実施例１に係る紙幣搬送装置の部分断面図である。
【図２】本発明の実施例１に係る紙幣搬送装置に設けられた可動ガイドに関する断面図である。
【図３】本発明の実施例１に係る紙幣搬送装置に設けられた可動ガイドの内部構造を示す斜視図である。
【図４】本発明の実施例１に係る紙幣搬送装置に設けられた可動ガイドの内部構造を示す斜視図であって、スライド部材を取付ける前の状況を示す。
【図５】本発明の実施例１に係る紙幣搬送装置に設けられた可動ガイドの正面図である。
【図６】本発明の実施例１に係るスライド部材とテンションローラに設けられたねじりばねとの係合関係を示す斜視図である。
【図７】本発明の実施例１に係るスライド部材とテンションローラに設けられたねじりばねとの係合関係を示す側面図である。
【図８】本発明の実施例２に係る受入口ガイドと紙幣識別機との連結付近における受入口ガイドに関する断面図である。
【図９】本発明の実施例２に係る調節部材の全体斜視図である。
【図１０】本発明の実施例２に係る受入口ガイド内のテンションローラ側ガイド部材の内部構造を示す斜視図である。
【図１１】本発明の実施例２に係る紙幣搬送装置に設けられた受入口ガイドの正面図である。部分断面図である。
【図１２】（ａ）〜(ｂ)は、本発明の実施例２に係るテンションローラ取付部材に設けられた調節部材とねじりばねとの係合関係を示す斜視図と上面図である。
【図１３】本発明の実施例３に係る紙幣搬送装置の部分断面図である。
【符号の説明】
【００４４】
１  紙幣搬送装置
２  紙幣識別機
３  可動ガイド
４  主搬送路
５ａ  受入口
５ｂ  案内路
５ｃ  サブ案内路
６  駆動ローラ
６ａ  ローラ軸
６Ａ  第１の駆動ローラ
６Ｂ  第２の駆動ローラ
７  テンションローラ
７ａ  ローラ軸
７ｂ  貫通孔
７Ａ  第１のテンションローラ
７Ｂ  第２のテンションローラ
８（８Ａ、８Ｂ）  ねじりばね
８ａ  巻線部
８ｂ  一側アーム
８ｃ  他側アーム
９  スライド部材
９ａ、９ｂ  傾斜面
９ｃ  突起
９ｄ  ねじ穴
１０  軸受用溝
１１  支承軸
１２  長尺縁
１２ａ、１２ｂ  当接片
１３  調節部材
１３ａ  長尺軸
１４ａ、１４ｂ  長穴
１５  係止片
１５ａ  係止溝
１６  不等辺三角形
１６ａ、１６ｂ、１６ｃ  ３辺の各辺
１７ａ、１７ｂ  搬送ローラ
１８  受入口ガイド
１９  テンションローラ側ガイド部材
２０  テンションローラ取付部材
２１  挿着片
２１ａ  挿着溝
Ｓ  紙幣
【図１】
0005102562.tif 000002
【図２】
0005102562.tif 000003
【図３】
0005102562.tif 000004
【図４】
0005102562.tif 000005
【図５】
0005102562.tif 000006
【図６】
0005102562.tif 000007
【図７】
0005102562.tif 000008
【図８】
0005102562.tif 000009
【図９】
0005102562.tif 000010
【図１０】
0005102562.tif 000011
【図１１】
0005102562.tif 000012
【図１２】
0005102562.tif 000013
【図１３】
0005102562.tif 000014